(57)【要約】      （修正有）【課題】棚板に対するトレーの取付位置を自由に変えることができ、これによって棚下の空間を有効利用することができるスライド式トレーを提供する。【解決手段】棚板２に取り付けられるスライド式トレー１であって、物品を収容するトレー３と、棚板２をその板厚方向に挟持するクランプ部１３を有し、トレー３を棚板２の前後方向に移動自在に吊り下げ支持する支持機構４とを備え、支持機構４は、トレー３の側板８の上部に前後方向に延設されるガイドレール部１１と、このガイドレール部１１の上方でそのガイドレール部１１と平行をなすように前後方向に延設されるガイドロッド部１４と、クランプ部１３とガイドレール部１１とに掛け渡される第１の吊下支持具２１と、この第１の吊下支持具２１の後方でガイドロッド部１４とガイドレール部１１とに掛け渡される第２の吊下支持具２２とを備えてなるものとする。【選択図】図３
0003183381.tif 000002
【実用新案登録請求の範囲】
【請求項１】
棚板に取り付けられるスライド式トレーであって、
物品を収容するトレーと、
棚板をその板厚方向に挟持するクランプ部を有し、前記トレーを棚板の前後方向に移動自在に吊り下げ支持する支持機構と、
を備えることを特徴とするスライド式トレー。
【請求項２】
前記支持機構は、前記トレーの側板の上部に前後方向に延設されるガイドレール部と、このガイドレール部の上方でそのガイドレール部と平行をなすように前後方向に延設されるガイドロッド部と、前記クランプ部と前記ガイドレール部とに掛け渡される第１の吊下支持具と、この第１の吊下支持具の後方で前記ガイドロッド部と前記ガイドレール部とに掛け渡される第２の吊下支持具とを備えてなるものである請求項１に記載のスライド式トレー。
【請求項３】
前記トレーには、その内部に冷気を導入するための開口部が設けられる請求項１または２に記載のスライド式トレー。
【考案の詳細な説明】
【技術分野】
【０００１】
本考案は、例えば冷蔵庫等において、収納スペースの有効利用に役立つスライド式トレーに関するものである。
【背景技術】
【０００２】
例えば冷蔵庫は、庫内を上下に仕切る複数の棚板によって形成される所要段数の収納部を有し、各収納部には、食品等の物品が収納されている。
【０００３】
冷蔵庫においては、棚板に置かれた物品とその物品の上方の棚板との間に隙間が生じることがある。これは、物品によっては重ねることができない、あるいは物品を重ねて収納しようとしたが、収納部に収まりきらなかった等の理由によるものである。この隙間は、所謂デッドスペースとなる。
【０００４】
そこで、例えば特許文献１にて開示されているようなスライド式のトレーを上記隙間に設けることにより、デッドスペースの有効利用を図ることができるものと考えられる。
【先行技術文献】
【特許文献】
【０００５】
【特許文献１】特開平８−１２１９１９号公報
【０００６】
この特許文献１に係るトレーは、棚板の下面側に配される一対のガイドによって前後方向にスライド自在に支持されている。
ところで、物品の収納状況により、上記デッドスペースが庫内のどの収納部の棚下に生じるかは定かではなく、デッドスペースの発生に応じてトレーの配置を変えることができるのが好ましい。
【０００７】
しかしながら、上記特許文献１に係るトレーでは、当該トレーを支持する一対のガイドが棚板の下面に一体的に設けられているため、棚板に対するトレーの取付位置を自由に変えることができず、棚下のデッドスペースを思うように有効利用することができないという問題点がある。
【考案の概要】
【考案が解決しようとする課題】
【０００８】
本考案は、前述のような問題点に鑑みてなされたもので、棚板に対するトレーの取付位置を自由に変えることができ、これによって棚下の空間を有効利用することができるスライド式トレーを提供することを目的とするものである。
【課題を解決するための手段】
【０００９】
前記目的を達成するために、本考案によるスライド式トレーは、
棚板に取り付けられるスライド式トレーであって、
物品を収容するトレーと、
棚板をその板厚方向に挟持するクランプ部を有し、前記トレーを棚板の前後方向に移動自在に吊り下げ支持する支持機構と、
を備えることを特徴とするものである（第１考案）。
【００１０】
本考案において、前記支持機構は、前記トレーの側板の上部に前後方向に延設されるガイドレール部と、このガイドレール部の上方でそのガイドレール部と平行をなすように前後方向に延設されるガイドロッド部と、前記クランプ部と前記ガイドレール部とに掛け渡される第１の吊下支持具と、この第１の吊下支持具の後方で前記ガイドロッド部と前記ガイドレール部とに掛け渡される第２の吊下支持具とを備えてなるものであるのが好ましい（第２考案）。
【００１１】
本考案において、前記トレーには、その内部に冷気を導入するための開口部が設けられるのが好ましい（第３考案）。
【考案の効果】
【００１２】
第１考案のスライド式トレーによれば、棚板を挟持するクランプ部を有する支持機構によってトレーが棚板の前後方向に移動自在に吊り下げ支持されるので、棚板に対するクランプ部の挟持位置を変えることによって棚板に対するトレーの取付位置を自由に変えることができ、これによって棚下の空間を有効利用することができる。
【００１３】
第２考案のスライド式トレーにおいては、支持機構のガイドレール部とガイドロッド部とが上下方向に平行に配され、クランプ部とガイドレール部とに第１の吊下支持具が、ガイドロッド部とガイドレール部とに第２の吊下支持具が掛け渡される構成とされる。これにより、支持機構の幅寸法とトレーの幅寸法とを略同じにすることができる。
仮に、支持機構がトレーに対し幅方向に大きく張り出す構造のものであると、トレーの両側にデッドスペースが残ることになるが、支持機構がトレーの幅寸法と略同じ構造のものであれば、トレーの両側にデッドスペースが残ることがなく、棚下の空間を最大限有効利用することができる。
【００１４】
第３考案のスライド式トレーによれば、トレーの内部に冷気を導入するための開口部が設けられるので、例えば冷蔵庫での使用に際して、その開口部を通して冷気をトレー内の物品に対し効率良く送ることができる。
【図面の簡単な説明】
【００１５】
【図１】本考案の一実施形態に係るスライド式トレーの正面図である。
【図２】本実施形態のスライド式トレーの底面図である。
【図３】本実施形態のスライド式トレーの側面図で、（ａ）はトレーの格納状態図、（ｂ）はトレーの引出状態図である。
【図４】（ａ）は図３（ａ）のＡ−Ａ線断面図、（ｂ）は同図のＢ−Ｂ線断面図である。
【考案を実施するための形態】
【００１６】
次に、本考案によるスライド式トレーの具体的な実施の形態について、図面を参照しつつ説明する。
【００１７】
＜スライド式トレーの概略構成説明＞
図１に示されるスライド式トレー１は、冷蔵庫の内部において食品等の物品の収納部を区画形成する棚板２に取り付けられるものであって、比較的小さな物品の収納・整理に供するトレー３を備えている。このトレー３は、支持機構４によって棚板２の前後方向に移動自在に吊り下げ支持されている。
【００１８】
＜トレーの説明＞
トレー３は、比較的底が浅い四角箱形状で、底板５と、底板５の前後に立設される正面板６および背面板７と、底板５の左右に立設される左側板８および右側板９とにより構成されている。
正面板６の上部は、下に凸の円弧状に切り欠かれて切欠き部６ａが形成されている。これにより、切欠き部６ａから正面板６の後側に手指を容易に掛けることができ、トレー３の出し入れをスムーズに行うことができる。
図２に示されるように、底板５には、トレー３の内部に冷気を導入するための所要の開口部５ａが適宜位置に設けられている。これにより、開口部５ａを通して冷気をトレー３内の物品に対し効率良く送ることができる。
図３（ａ）に示されるように、左側板８において、その上部には、上辺部から下方に所定距離を隔てた位置に前後方向に細長く伸びるスリット１０が形成され、このスリット１０と上辺部との間の部分に前後方向に延びるガイドレール部１１が形成されている。なお、右側板９にも同様にスリット１０およびガイドレール部１１が形成されている。
【００１９】
＜支持機構の説明＞
図１に示されるように、支持機構４は、トレー３の左側板８および右側板９にそれぞれ対応して設けられるフレーム１２，１２を備えている。これらフレーム１２，１２は、同じ構造のもので、図３（ａ）に示されるように、クランプ部１３とガイドロッド部１４とを有し、例えばステンレスばね鋼線の所要箇所を屈曲させて形成されている。
【００２０】
＜クランプ部の説明＞
クランプ部１３は、鉛直方向に延びて棚板２の前端に当接される鉛直ロッド部１５を備え、鉛直ロッド部１５の上端部位に上クランプロッド部１６が後方に延びるように一体的に連設されるとともに、鉛直ロッド部１５の下端部位に下クランプロッド部１７が後方に延びるように一体的に連設されて構成されている。このクランプ部１３においては、上クランプロッド部１６の前部から後部手前の部位が後方に向かって下方に傾斜する形状とされており、上クランプロッド部１６と下クランプロッド部１７とで棚板２をその板厚方向に強く挟持することができるようになっている。なお、上クランプロッド部１６の後端部には、棚板２の上面に押し当てられる押当てパッド１８が装着されている。
【００２１】
＜ガイドロッド部の説明＞
ガイドロッド部１４は、ガイドレール部１１の上方でそのガイドレール部１１と平行をなすように前後方向に延び、下クランプロッド部１７の後端部位にＵ字状折曲部１９を介して一体的に連設されている。
【００２２】
＜第１の吊下支持具、第２の吊下支持具の説明＞
下クランプロッド部１７とガイドレール部１１とには、第１の吊下支持具２１が掛け渡されるとともに、ガイドロッド部１４とガイドレール部１１とには、第２の吊下支持具２２が掛け渡されている。なお、第２の吊下支持具２２は、第１の吊下支持具２１の後方で右側板８（左側板９）の後端部に対応する位置に配されている。
【００２３】
図４（ａ）に示されるように、第１の吊下支持具２１の上部には、下クランプロッド部１７と圧入・固定状態で係合する係合溝２３が設けられている。この係合溝２３の開口上縁には、該係合溝２３から下クランプロッド部１７が外れないように止める係止突起２４が設けられている。
第１の吊下支持具２１の中間部には、ロッド嵌入穴２５が設けられており、このロッド嵌入穴２５にガイドロッド部１４の先端部が嵌入されてガイドロッド部１４が第１の吊下支持具２１に安定的に保持されるようになっている。
第１の吊下支持具２１の下部には、ガイドレール部１１と摺動自在に係合する係合溝２６が設けられている。この係合溝２６の開口上縁および開口下縁には、該係合溝２６からガイドレール部１１が外れないように止める係止突起２７および係止突起２８がそれぞれ設けられている。
第１の吊下支持具２１の下部には、右側板８（左側板９）におけるスリット１０の近傍部位に当接される押当て部２９が設けられており、この押当て部２９により、第１の吊下支持具２１の起立姿勢をより安定的に維持することができる。
【００２４】
図４（ｂ）に示されるように、第２の吊下支持具２２の上部には、ガイドロッド部１４が摺動自在に挿通される挿通孔３０が設けられている。
第２の吊下支持具２２の下部には、ガイドレール部１１と圧入・固定状態で係合する係合溝３１が設けられている。この係合溝３１の開口上縁および開口下縁には、該係合溝３１からガイドレール部１１が外れないように止める係止突起３２および係止突起３３がそれぞれ設けられている。なお、ガイドレール部１１には、第２の吊下支持具２２の前方への移動を止める係止突起１１ａが設けられており、万一、第２の吊下支持具２２が右側板８（左側板９）の後端部位置から前方へ移動しようとしても係止突起１１ａによって止められるようになっている。
第２の吊下支持具２２の下部にも、第１の吊下支持具２１における押当て部２９と同様の押当て部３４が設けられており、この押当て部３４により、第２の吊下支持具２２の起立姿勢をより安定的に維持することができる。
【００２５】
＜トレーと支持機構の幅寸法の説明＞
支持機構４においては、ガイドレール部１１とガイドロッド部１４とが上下方向に平行に配され、クランプ部１３とガイドレール部１１とに第１の吊下支持具２１が、ガイドロッド部１４とガイドレール部１１とに第２の吊下支持具２２がそれぞれ掛け渡される構成とされる。これにより、支持機構４の幅寸法とトレー３の幅寸法とを略同じにすることができる。これにより、トレー３の両側にデッドスペースが残ることがなく、棚下の空間を最大限有効利用することができる。
【００２６】
＜スライド式トレーの使用説明＞
以上に述べたように構成されるスライド式トレー１の棚板２への取り付けは、以下のようにして行われる。まず、図３（ａ）に示されるように、上クランプロッド部１６と下クランプロッド部１７との間に棚板２を挟むようにしてフレーム１２を棚板２の奥の方へと押し込む。これにより、棚板２がクランプ部１３によって挟持され、棚板２にスライド式トレー１が装着される。
このようにして棚板２に装着されたスライド式トレー１において、正面板６の切欠き部６ａ（図１参照）から正面板６の後側に手指を掛けて引っ張ることにより、図３（ｂ）に示されるように、トレー３を引き出すことができ、これとは逆に、正面板６を押し戻すことにより、同図（ａ）に示されるように、トレー３を元の位置に格納することができる。この際、ガイドレール部１１を摺動自在に支持する左右の第１の吊下支持具２１，２１と、ガイドロッド部１４に摺動自在に支持されてトレー３と共に移動する左右の第２の吊下支持具２２とによって、トレー３の前後のスライド動作がスムーズに行われる。
【００２７】
＜作用効果の説明＞
本実施形態のスライド式トレー１によれば、棚板２を挟持するクランプ部１３を有する支持機構４によってトレー３が棚板２の前後方向に移動自在に吊り下げ支持されるので、棚板２に対するクランプ部１３の挟持位置を変えることによって棚板２に対するトレー３の取付位置を自由に変えることができ、これによって棚下の空間を有効利用することができる。
【００２８】
以上、本考案のスライド式トレーについて、一実施形態に基づいて説明したが、本考案は上記実施形態に記載した構成に限定されるものではなく、その趣旨を逸脱しない範囲において適宜その構成を変更することができるものである。
【産業上の利用可能性】
【００２９】
本考案のスライド式トレーは、棚板に対するクランプ部の挟持位置を変えることによって棚板に対するトレーの取付位置を自由に変えることができるという特性を有していることから、例えば冷蔵庫や食器棚、その他収納棚の棚下のデッドスペースの有効利用の用途に好適に用いることができる。
【符号の説明】
【００３０】
１      スライド式トレー
２      棚板
３      トレー
４      支持機構
５      底板
５ａ    開口部
１１    ガイドレール部
１３    クランプ部
１４    ガイドロッド部
２１    第１の吊下支持具
２２    第２の吊下支持具
【図１】
0003183381.tif 000003
【図２】
0003183381.tif 000004
【図３】
0003183381.tif 000005
【図４】
0003183381.tif 000006